(57)【要約】      （修正有）【課題】引き出しが簡単な構造で確実にロックできると伴に引き出しの前面を押す事により軽い力でロックを解除でき同時に引き出しが開く事の補助動作をさせて、押しバネの設定によっては自動的に開くような設定にもできる機構を提供する。【解決手段】ロック状態から引き出しを押すと、（６可動ストッパーＢ）のピンが、（５可動ストッパーＡ）から外れ（４固定ストッパー）に沿って下がりロックが外れる、その後押す力を解放すると押しバネによって引き出しが前方に押し出され自動的に開く。その時６のピンは５の下方を持ち上げながら後方に抜ける。その後５は下がり再び引き出しを押し込むと６のピンが５の上側に沿って上に持ち上がり引き出しを一番奥まで押し込むと６のピンが４の上方で止まる。その後押す力を解放すると押しバネによって引き出しが、前方に押し出されると共に６のピンが４の上部から外れ下に下がるので、５によって止まり始めのロック状態に戻る。【選択図】図１
2005131338.tif 000002
【特許請求の範囲】
【請求項１】
前面を軽く押すことでロックを解除することが出来て同時に前方に自動的に開いて、その後引き出しを開けて、再び一番奥まで引き出しを入れるとロックが自動で掛る構造として、この動作を連続して繰り返すことによって開閉動作を非常に簡単に行う事が出来ることを特徴とする引き出しであるが、その精神及び必須の特徴事項から逸脱することなく他のやり方で実施することができる。従って、本発明の実施形態は例示的なものであり、限定的なものではない。
【請求項２】
ロック機構と解除機構と押しバネの全てをスライドレールの内部に組み込む事によってロック機構を持っていない引き出しのレールを取り替える事でこの機能を持たせる事を可能とした。
【発明の詳細な説明】
【技術分野】
【０００１】  本発明はスライドレールの付いた引き出しのロック機構に関するものである。
【背景技術】
【０００２】  スライドレールの付いた引き出しは動作が軽いので振動や傾斜によって、不意に飛び出さない様にスライド部分がゴムストッパー等で止まる様になっていたが開閉時に引っかかりがあり、開閉がしにくいうえにすぐにゴムが削れて止まらなくなっていた。【０００３】  これを解決するためには引き出しや本体等にロック機構を別に取り付けることで対応していたがロックを解除するためにハンドル等にレバーを付けるなどの加工を必要としコストがかかる上動作も面倒という欠点があった。【０００４】  引出しのスライドレールの自動係止装置としてスライドレールの内部にロック機構をもった物もあるが解除するには引き出しを引く構造になっているので前面を押す事でロックを解除すると同時に引き出しが自動で開く様な動作はできない。
【特許文献１】特開平１０−２１５９６０
【特許文献２】実用新案登録第３０７５６６３号
【発明の開示】
【発明が解決しようとする課題】
【０００６】  解決しようとする問題点は引き出しが振動や傾斜で不意に飛び出さない様に確実にロックすると伴に軽く押すことで簡単に解除できる機能をどの様に簡単な構造で持たせるかである。
【課題を解決するための手段】
【０００７】  本発明は引き出しの前面を軽く押すことでロックを解除できる機構を固定ストパー１個と可動ストッパー２個と押しバネ１個とし、連続して作動させることを最も主要な特徴とする。
【発明の効果】
【０００８】  本発明のロック機構付き引き出しは前面を軽く押すことでロックを解除できると伴に自動で開く様な設定も出来るので、例えば両手に荷物を持っていても、肘等で前面を軽く押せば引き出しを開ける事が出来るという利点がある。
【発明を実施するための最良の形態】
【０００９】  ロック機構付き引き出しの前面を軽く押すことでロックを解除出来る機構という目的を最小の部品点数で、スライドレールの中に組み込み連続して動作させることで実現した物であるが、その精神及び必須の特徴事項から逸脱することなく他のやり方で実施することができる。従って、本明細書に記載した好ましい実施形態は例示的なものであり、限定的なものではない。
【実施例１】
【００１０】  図１は、本発明の１実施例の側面拡大図であって、スライドレールがロックしている状態を示したもので、引き出しを一番奥まで入れたところから７押しバネの反発力によって６可動ストッパーＢが、４固定ストッパーよりはずれて、５可動ストッパーＡによってロックされている。【００１１】  図２は、図１の状態から再び引き出しを一番奥まで入れたところを示すもので６可動ストッパーＢが、５可動ストッパーＡからはずれて４固定ストッパーに沿って自重で下方に落ちたところを示している。【００１２】  図３は、図２の状態から７押しバネの反発力によって中レールが押し出されているところを示しており、６可動ストッパーＢが、５可動ストッパーＡを持ち上げながら中レールと内レールが引き出されているところである。【００１３】  図４は、図３の状態からさらに引き出しを引いた状態で、５可動ストッパーが自重で下方に下がり、完全にロックが外れた状態を示している。【００１４】  図５は、図４の状態から再び引き出しを押し込んでいる時に、６可動ストッパーＢのピンが、５可動ストッパーＡの上部に沿って持ち上げられているところを示している。【００１５】  図６は、図５の状態からさらに一番奥まで引き出しを押し込んだ状態で、６可動ストッパーＢのピンが、５可動ストッパーＡから外れ４固定ストッパーの上部で止まったところを示している。【００１６】  図１から図６までの動作を連続して行う事によって引き出しを閉めれば自動的にロックが掛り、引き出しの前面を軽く押せばロックが外れると同時に引き出しが自動的に出てくるという機能を引き出しに持たせることを可能とした。【００１７】  この実施例は、スライドレールの内部に全てのロック機構と解除機構を組み込んでおりこの機能を持ったスライドレールを引き出しに取り付けるだけで引き出しをロック機能付きとすることが出来るという効果がある。
【産業上の利用可能性】
【００１８】  このスライドレールを組み込んだ引き出しは、前面を軽く押すことで引き出しが自動的に出てくるという機能を利用して、取っ手の無い引き出しが可能となったのでデザインにも自由度が増える上に、例えば両手に荷物をを持っていても開けることが可能となるので普段の生活におおいに役立つ上に色々な用途に適用できる。
【図面の簡単な説明】
【００１９】
【図１】本発明の拡大図でひきだしのロック状態を示す側面図である。
【図２】本発明の拡大図で引き出しをロック状態から、押して一番奥に入れた状態を示す側面図である。
【図３】本発明の拡大図で引き出しが一番奥から少し引き出された所を示す側面図である。
【図４】本発明の側面図で引き出しが大きく引き出されてロックが外れた所を示す図である。
【図５】本発明の拡大図で引き出しを押し込んでいる途中を示す図である。
【図６】本発明の拡大図で引き出しを再び一番奥まで入れた所を示す図である。
【図７】本発明の立体図でスライドレールを引き出しに取り付けた状態を示す図である。
【符号の説明】
【００２０】  １  外レール
２  中レール
３  内レール
４  固定ストッパー
５  可動ストッパーＡ
６  可動ストッパーＢ
７  押しバネ
【図１】
2005131338.tif 000003
【図２】
2005131338.tif 000004
【図３】
2005131338.tif 000005
【図４】
2005131338.tif 000006
【図５】
2005131338.tif 000007
【図６】
2005131338.tif 000008
【図７】
2005131338.tif 000009